【手続補正書】
【提出日】平成29年4月28日(2017.4.28)
【手続補正１】
【補正対象書類名】特許請求の範囲
【補正対象項目名】全文
【補正方法】変更
【補正の内容】
【特許請求の範囲】
【請求項１】
ポリマー着色剤であって、
ポリマーモノマー単位と、
前記ポリマーに組み込まれ、前記ポリマー着色剤に色を付与する少なくとも１種類のアリザリン単位とを含み、
前記ポリマーが、（ｉ）（ａ）ヒドロキシル供与体；（ｂ）環状ポリヒドロキシル受容体；および（ｃ）任意要素の触媒の縮合生成物と、（ｉｉ）ポリ酸とを含み、９０％より多くが生物由来である、生物由来の分枝鎖ポリエステル樹脂である、ポリマー着色剤。
【請求項２】
前記ポリマーモノマー単位が、ポリエステルモノマー単位、ポリアミドモノマー単位、ポリウレタンモノマー単位、およびこれらの組み合わせからなる群から選択される、請求項１に記載のポリマー着色剤。
【請求項３】
前記ポリマーモノマー単位が生物由来であるか、前記アリザリンが、生物によって再生可能であるか、または、前記ポリマーモノマー単位が生物由来であり、かつ、前記アリザリンが、生物によって再生可能である、請求項１に記載のポリマー着色剤。
【請求項４】
前記ポリマーモノマー単位が、アモルファスポリエステル、結晶性ポリエステル、またはこれらの組み合わせを与える、請求項１に記載のポリマー着色剤。
【請求項５】
前記ポリマーが、（ｉ）（ａ）グリセリンカーボネートおよび／またはグリセロール；および（ｂ）アビエチン酸、ネオアビエチン酸、パルストリン酸、レボピマル酸、ジヒドロアビエチン酸、ピマール酸、イソピマール酸およびこれらの組み合わせからなる群から選択されるロジン酸のポリ縮合生成物と、（ｉｉ）コハク酸、フマル酸、マレイン酸、イタコン酸、ドデシルコハク酸、グルタル酸、アジピン酸、ピメリン酸、スベリン酸およびアゼライン酸からなる群から選択されるポリ酸とを含む、生物由来の分枝鎖ポリエステル樹脂である、請求項１に記載のポリマー着色剤。
【請求項６】
前記ポリマーが、以下の式の１−デシル−１２−メチルドデカンジオエートであり、
【化１】
2014227549.tif 000001
式中、ｎは、１〜１，０００の整数である、請求項１に記載のポリマー着色剤。
【請求項７】
ポリマー着色剤であって、
ポリマーモノマー単位と、
前記ポリマーに組み込まれ、前記ポリマー着色剤に色を付与する少なくとも１種類のアリザリン単位とを含み、
前記ポリマーが、以下の式
【化２】
2014227549.tif 000002
の化合物を含む分枝鎖ポリエステルであり、
式中、Ｒは、直鎖および分枝鎖、飽和および不飽和、環状および非環状、置換および非置換のアルキレン基から選択されるアルキレン基であり、ヘテロ原子が前記アルキレン基の中に存在していてもよく；
Ｒ’は、直鎖および分枝鎖、飽和および不飽和、環状および非環状、置換および非置換のアルキレン基から選択されるアルキレン基であり、ヘテロ原子が前記アルキレン基の中に存在していてもよく；
Ｒ’に隣接するすべてのカルボニル炭素が、２個の原子が単結合によって分断されている場合には、この少なくとも２個の原子によって分断されているか、または、Ｒ’に隣接するすべてのカルボニル炭素が、連続して共有結合した少なくとも３個の原子によって分断されており；
ｍは、１〜１，０００の整数であり；
ｎは、１〜１，０００の整数である、請求項１に記載のポリマー着色剤。
【請求項８】
前記アリザリンが、以下の式
【化３】
2014227549.tif 000003
または
【化４】
2014227549.tif 000004
の化合物である、請求項１に記載のポリマー着色剤。
【請求項９】
前記アリザリンが、１，３−ジヒドロキシアントラキノン、１，４−ジヒドロキシアントラキノン、１，５−ジヒドロキシアントラキノン、１，６−ジヒドロキシアントラキノン、１，７−ジヒドロキシアントラキノン、１，８−ジヒドロキシアントラキノン、２，３−ジヒドロキシアントラキノン、２，６−ジヒドロキシアントラキノン、２，７−ジヒドロキシアントラキノン、並びにこれらの混合物および組み合わせからなる群から選択される、請求項１に記載のポリマー着色剤。
【請求項１０】
前記ポリマー着色剤の色は、前記ポリマーモノマー単位および前記アリザリン単位を含むポリマー単位の合計モルパーセントを基準として、前記アリザリン単位のモルパーセントを選択することによって調整される、請求項１に記載のポリマー着色剤。
【請求項１１】
ポリマー着色剤であって、
ポリマーモノマー単位と、
前記ポリマーに組み込まれ、前記ポリマー着色剤に色を付与する少なくとも１種類のアリザリン単位とを含み、
前記ポリマーモノマー単位は、１，６−ヘキサンジオール、コハク酸、テレフタル酸ジメチル、１，１２−ドデカン二酸、プロパンジオール、イソフタル酸、アゼライン酸、イソソルビド、およびこれらの組み合わせからなる群から選択される少なくとも１種類のモノマーを含む、ポリマー着色剤。
【請求項１２】
前記ポリマー着色剤の色は、桃色、褐色、灰色または黒色である、請求項１に記載のポリマー着色剤。
【請求項１３】
前記ポリマー着色剤は、アリザリン単位の量、モノマー単位の種類、モノマー単位の量、アリザリンを媒染剤で処理、アリザリンモノマー単位と、ポリマー着色剤を含む他のモノマーとの相互作用のうち１つ以上によって決定される最終色を有する、請求項１に記載のポリマー着色剤。
【請求項１４】
トナー、インク、玩具、塗料、繊維、機械部品、成型した製品、押出成型した製品およびそれらの組合せからなる群から選択される物品に含まれている、請求項１に記載のポリマー着色剤。
【請求項１５】
前記ポリマー着色剤と、場合により、媒染剤とを含む組成物中に与えられる、請求項１に記載のポリマー着色剤。
【請求項１６】
ポリマーラテックスであって、
ポリマーモノマー単位と、前記ポリマーに組み込まれ、ポリマー着色剤に色を付与する少なくとも１種類のアリザリン単位とを含むポリマー着色剤の水性分散物と、
場合により、媒染剤とを含み、
前記ポリマーが、（ｉ）（ａ）ヒドロキシル供与体；（ｂ）環状ポリヒドロキシル受容体；および（ｃ）任意要素の触媒の縮合生成物と、（ｉｉ）ポリ酸とを含み、９０％より多くが生物由来である、生物由来の分枝鎖ポリエステル樹脂であるか；
前記ポリマーが、（ｉ）（ａ）グリセリンカーボネートおよび／またはグリセロール；および（ｂ）アビエチン酸、ネオアビエチン酸、パルストリン酸、レボピマル酸、ジヒドロアビエチン酸、ピマール酸、イソピマール酸およびこれらの組み合わせからなる群から選択されるロジン酸のポリ縮合生成物と、（ｉｉ）コハク酸、フマル酸、マレイン酸、イタコン酸、ドデシルコハク酸、グルタル酸、アジピン酸、ピメリン酸、スベリン酸およびアゼライン酸からなる群から選択されるポリ酸とを含む、生物由来の分枝鎖ポリエステル樹脂であるか；
前記ポリマーが、以下の式
【化５】
2014227549.tif 000005
の化合物を含む分枝鎖ポリエステルであって、式中、Ｒは、直鎖および分枝鎖、飽和および不飽和、環状および非環状、置換および非置換のアルキレン基から選択されるアルキレン基であり、ヘテロ原子が前記アルキレン基の中に存在していてもよく；Ｒ’は、直鎖および分枝鎖、飽和および不飽和、環状および非環状、置換および非置換のアルキレン基から選択されるアルキレン基であり、ヘテロ原子が前記アルキレン基の中に存在していてもよく；Ｒ’に隣接するすべてのカルボニル炭素が、２個の原子が単結合によって分断されている場合には、この少なくとも２個の原子によって分断されているか、または、Ｒ’に隣接するすべてのカルボニル炭素が、連続して共有結合した少なくとも３個の原子によって分断されており；ｍは、１〜１，０００の整数であり；ｎは、１〜１，０００の整数である、分枝鎖ポリエステルであるか；或いは、
前記ポリマーモノマー単位が、１，６−ヘキサンジオール、コハク酸、テレフタル酸ジメチル、１，１２−ドデカン二酸、プロパンジオール、イソフタル酸、アゼライン酸、イソソルビド、およびこれらの組み合わせからなる群から選択される少なくとも１種類のモノマーを含む、
ポリマーラテックス。
【手続補正２】
【補正対象書類名】明細書
【補正対象項目名】発明の名称
【補正方法】変更
【補正の内容】
【発明の名称】アリザリン系ポリマー着色剤およびポリマーラテックス